(57)【特許請求の範囲】
【請求項１】
マトリックス状にロウ電極とカラム電極が設けられ、
ロウ駆動回路とカラム駆動回路が設けられ、
ＴＦＴインターフェイス信号をＭＬＡ駆動に適合した行及び／又は列駆動信号に変換するコントローラ回路、及びインターフェイス回路ブロックが設けられたＳＴＮ液晶表示モジュールであって、
インターフェイス回路ブロックに電圧発生回路が備えられ、
ＴＦＴインターフェイス信号がインターフェイス回路ブロックに入力され、
コントローラ回路に対して、ＴＦＴインターフェイス信号とコントローラ回路の電源電圧がインターフェイス回路ブロックから出力される液晶表示モジュール。
【請求項２】
ロウ駆動回路、カラム駆動回路、及びコントローラ回路にそれぞれの電源電圧がインターフェイス回路ブロックから出力される請求項１の液晶表示モジュール。
【請求項３】
インターフェイス回路ブロックが基板に搭載され、液晶表示モジュールのほぼ側面に配置されてなる請求項１又は２の液晶表示モジュール。
【請求項４】
ＭＬＡ駆動が行われるＳＴＮ液晶表示モジュール用のインターフェイス回路ブロックであって、
ＴＦＴインターフェイス信号が入力され、
コントローラ回路にＴＦＴインターフェイス信号を中継し、
電圧発生回路を有するインターフェイス回路ブロック。
【請求項５】
インターフェイス回路ブロックは、コントローラ回路を搭載する基板とは別の基板に搭載され、
このインターフェイス回路ブロックを搭載した基板は、複数の分離可能な基板からなり、各基板にインターフェイス回路ブロックを構成する部品を搭載した請求項４のインターフェイス回路ブロック。
【発明の詳細な説明】
【０００１】
【発明の属する技術分野】
本発明は、単純マトリクス型の液晶表示モジュールに関し、特に複数ライン同時選択駆動方式のＳＴＮ液晶表示モジュール及びそのインターフェイス回路ブロックに関するものである。
【０００２】
【従来の技術】
ノートブック型パソコン等は、キーボード等の入力装置を有するパソコン本体と、このパソコン本体に対し開閉可能に装着され、液晶表示パネルを有する液晶モジュールとにより構成される。この液晶モジュールは、一対のガラス基板内に液晶を封入した液晶セルを備える表示パネルと、この表示パネルの背面に設けた導光板からなるバックライトユニットと、液晶駆動用のドライバおよび電源回路等を搭載した基板等をフレーム内に装着した構成である。
【０００３】
このような液晶表示モジュールとして、ＳＴＮ液晶を用いた単純マトリクス方式のＳＴＮモジュールおよびＴＮ液晶を用いたアクティブマトリクス駆動方式のＴＦＴモジュールが実用化されている。
【０００４】
図８は従来の単純マトリクス方式のＳＴＮモジュールの構成図である。表示画面を構成するＳＴＮパネル３０は、ＳＴＮ液晶を一対のガラス板間に封入した矩形の液晶セルからなる。この例のＳＴＮパネル３０は、例えば８００×６００画素からなり、このＳＴＮパネル３０を上下２分割して各々独立に駆動するデュアルスキャン方式が用いられる。
【０００５】
このためＳＴＮバネル３０の上下の横辺に沿ってそれぞれバス基板３１が設けられる。各バス基板３１上には、ＳＴＮパネル３０の横方向の画素を選択して駆動するための複数のカラムドライバ３２および平滑コンデンサ（図示を省略する）が搭載される。
【０００６】
また、ＳＴＮパネル３０の一方の縦辺に沿ってロウ基板３３が設けられる。このロウ基板３３上には、ＳＴＮパネル３０の縦方向の画素を選択して駆動するための複数のロウドライバ３４、入力コネクタ３５、オペアンプ３６およびこのオペアンプとともに電源回路を構成する分割抵抗や平滑コンデンサ（いずれも図示しない）が搭載される。
【０００７】
モジュールへの電源電圧は、通常、ロジック電圧（＋３．３Ｖ〜＋５Ｖ）と液晶駆動電圧（概ね＋３５Ｖまたは−３０Ｖ）の２種類であり、その他の液晶駆動用の中間電圧は、モジュール内の電源回路により発生され、ここから各基板に供給される。外部からモジュールへの電源電圧および画像表示制御信号は、ロウ基板３３の入力コネクタ３５を介して導入され、ここから直接ロウドライバ３４およびカラムドライバ３２に入力される。
【０００８】
ロウ基板３３から各バス基板３１への電源電圧および制御信号のライン接続は、インターフェイスコネクタ（Ｉ／Ｆコネクタと呼ぶ、図示を省略する）を介して行われる。このＩ／Ｆコネクタによる接続は、通常、ロウ基板３３の上下の端部と上下各バス基板のロウ基板よりの端部とをフレキシブル基板を介して接続するものである。
【０００９】
この場合、フレキシブル基板は、バス基板３１およびロウ基板３３に対し、その両端部を半田付けで接続、あるいは両端部をコネクタを用いて接続、あるいは片側を半田付けもう片側をコネクタを用いて接続される。
【００１０】
ロウドライバ３４およびカラムドライバ３２は、ＴＣＰ（テープキャリアパッケージ）の形態で装着される。このＴＣＰの入力側（電源入力、制御信号入出力、データ入力等）は、ロウ基板３３およびバス基板３１に半田付けされ、出力側（液晶駆動波形出力）は、異方性導電膜を用いて直接液晶パネルのロウおよびカラムの入力端子に接続される。
【００１１】
ＴＣＰはポリイミドをベース基板として用い、柔軟性を有している。このＴＣＰをパネル下側すなわちバックライトの下側に折曲げて配設することにより、モジュール外形の小型化を図っている。
【００１２】
このような構成のＳＴＮモジュールにおいては、通常、機種ごとに異なるＳＴＮインターフェイスを介して各制御信号が直接ロウドライバおよびカラムドライバに入力される。このＳＴＮインターフェイスにおける画像表示信号においては、１ドットあたりの表示データが、ＯＮ（Ｈ）またはＯＦＦ（Ｌ）の１ビットで送られる。
【００１３】
一例をあげれば、モノクロＳＴＮモジュールのインターフェイス入力コネクタ３５は、例えば１５ピンのうち７ピンを電源および制御信号（走査駆動同期信号、入力データラッチクロック信号、データ入力クロック信号、ディスプレイオンオフ信号、ロジック用電源、接地電源、液晶駆動用電源）として用い、他の８ピンを上下２分割したパネルの上下４個づつの計８個のドットの駆動信号としてそれぞれのドットの表示データ信号にしたがって、ＨまたはＬレベルの１ビットの信号が入力される。
【００１４】
図９は、従来のアクティブマトリクス駆動方式のＴＦＴモジュールの構成図である。表示画面を構成するＴＦＴパネル３７上には、各画素ごとに薄膜トランジスタ（図示を省略する）が形成され、液晶としてはＴＮ液晶が用いられる。パネル３７の右側の縦辺に沿ってゲート基板３８が設けられ、縦方向のＴＦＴを選択して駆動するための複数のゲートドライバ３９および平滑コンデンサ（図示を省略する）が搭載される。
【００１５】
パネル３７の下辺に沿ってバス基板４０が設けられ、横方向のＴＦＴを選択して駆動するための複数のソースドライバ４１および平滑コンデンサ（図示を省略する）が搭載される。ＴＦＴモジュールでは、前述のＳＴＮモジュールと異なり、デュアルスキャン方式は行わないため、バス基板４０は１枚である。また、パネル３７の左側の縦辺に沿って、インターフェイス基板４２が設けられる。このインターフェイス基板４２上に、制御回路（ＩＣ）４３、入力コネクタ４４およびＤＣ−ＤＣコンバータ４５が搭載される。
【００１６】
このＴＦＴモジュールにおいては、種々の製品に共通のＴＦＴインターフェイスが用いられ、画像表示制御信号は、インターフェイス基板４２上の入力コネクタ４４を介して制御回路４３に入力される。制御回路４３では、各モジュール構成に応じたデータの並べ変え等信号演算処理を伴わない簡単なデータ処理が施され、それぞれゲートドライバ３９およびソースドライバ４１に送られ、画像表示データに応じた画素のＴＦＴが駆動される。
【００１７】
このＴＦＴインターフェイスにおいては、画素を構成する１ドットあたりの画像表示データが、前述のＳＴＮインターフェイスでは１ビットで構成されていたのに対し、例えば６ビットの複数の階調データとして構成される。
【００１８】
一例をあげれば、カラーＴＦＴモジュールのインターフェイスにおいて、例えば４１ピンの入力コネクタのうち、２３ピンを制御信号（ドットクロック信号、水平同期信号、垂直同期信号、データイネーブル信号、タイミングモード信号）および電源（複数のロジック用電源および接地電源）として用い、残りの１８ピンを赤（Ｒ）、緑（Ｇ）、青（Ｂ）の３つの画像表示データとしてそれぞれ６ピンづつ用いている。
【００１９】
すなわち、赤、緑、青の各色の画像信号は、１ドットについて各ピンが１ビットづつ計６ビットの階調データとして入力され、１８ピン（１８ビット）を用いて１ドットの画像表示データが構成される。この場合、１８ビットのディジタルＲＧＢ入力データの周波数は、例えば４０ＭＨｚであり、出力データ信号も同じく４０ＭＨｚである。
【００２０】
このＴＦＴモジュールに供給される電源電圧は、通常、ロジック電圧（＋３．３Ｖ〜＋５Ｖ）だけであり、液晶駆動電圧はインターフェイス基板４２上のＤＣ−ＤＣコンバータ４５で発生され、その他必要な中間電圧はモジュール内部の分割抵抗、平滑コンデンサおよびオペアンプからなる電源回路で発生され、各ドライバに供給される。
【００２１】
このＴＦＴモジュールにおいても、前記ＳＴＮモジュールの場合と同様に、フレキシブル基板を用いたＩ／Ｆコネクタにより各基板間を接続し、また、ソースドライバおよびゲートドライバはＴＣＰで構成してこれをパネル下側に折曲げてモジュール外形の小型化を図っている。
【００２２】
なお、ＴＦＴモジュールの機種によっては、インターフェイス基板を省略して、入力コネクタ、ＤＣ−ＤＣコンバータ、制御回路（ＩＣ）および電源回路をゲート基板上に搭載する場合もある。
【００２３】
一方、カラーＳＴＮ液晶パネルの駆動方法として、同時に複数の走査線を選択しながら液晶の各画素に電圧を印加するアクティブ駆動法が、本出願人等により開発が進められている（日経エレクトロニクス  １９９４年９月２６日第６１８号）。この複数走査線同時選択方式のアクティブ駆動法（以下ＭＬＡ：Ｍｕｌｔｉ  Ｌｉｎｅ  Ａｄｄｒｅｓｓｉｎｇという）を用いれば、ＳＴＮ液晶パネルのコントラスト比を高めるとともに応答速度を速めることができる。コントラスト比が上がれば、画質が向上しカラー表示の色純度が高められる。また、応答速度が速まれば、従来のＳＴＮモジュールではできなかった動画像の表示が可能になる。図１０にその構成例を示す。（ａ）はＭＬＡコントローラを使う構成を示し、汎用のＶＧＡコントローラと組合せて使うものであり、ＭＬＡ法を実現するための演算処理をＭＬＡコントローラとＤＲＡＭを組合せて行う。（ｂ）はＭＬＡコントローラ内蔵のＶＧＡコントローラを使う構成を示し、ＶＧＡコントローラに使うフレームバッファメモリをＭＬＡコントローラにも兼用する。両方式とも走査線側には３レベルの専用駆動ＩＣを使い、データ側には８レベルの専用駆動ＩＣを使う。
【００２４】
【発明が解決しようとする課題】
しかしながら、このようなＭＬＡ方式を実現するためには、一般にＴＦＴモジュールの画像表示制御信号として用いられているディジタルＲＧＢ信号をＭＬＡに適合した画像制御信号に変換する専用のインターフェイス制御回路（ＩＣ）が必要になる。このようなＭＬＡインターフェイス制御回路を備えたＳＴＮ液晶表示装置を例えばノートブック型のパソコンに搭載する場合、コンパクトな構成およびＴＦＴ液晶装置との互換性を図るために、前述のＭＬＡインターフェイス制御回路を実装した基板を液晶表示パネルとともにモジュール側に組込むことが必要になる。
【００２５】
さらに、ＭＬＡインターフェイス制御回路とともに、このインターフェイス制御回路にパソコン等の本体側からＴＦＴ表示データ信号や電源電圧を入力するための入力コネクタおよび電源発生回路等を含む中継回路をモジュール側の基板に搭載する必要がある。
【００２６】
この場合、パソコン等の本体仕様の違いや部品形状およびレイアウト等の相違や変更等により、相違や変更のあったモジュールごとにＭＬＡインターフェイス制御回路や中継回路等を搭載した基板を変更しなければならない。
【００２７】
しかしながら、このような基板の変更は、設計仕様変更や基板上での部品配置の変更等の技術的な設計計画や開発日程の変更を必要とする。したがって、個々の部品の変更や細部の形状変更等に伴って、基板全体を考慮して変更すれば、設計開発計画が繁雑で面倒になり関連部門等との連絡や調整など技術開発日程が長期化して有用な技術の実用化が遅れ産業発達の促進が図られない。
【００２８】
また、基板の変更に伴って、新しい基板の金型を製作しなければならず、基板全体の金型を新たに製作することは無駄な部分が大きくなり大幅なコストの上昇を来す。
【００２９】
本発明は上記従来技術を考慮したものであって、仕様変更や設計変更に応じて効率よく的確に、短期間でかつコスト上昇を抑えてモジュール変更可能な液晶表示モジュールの提供を目的とする。
【００３０】
【課題を解決するための手段】
前記目的を達成するため、本発明では、マトリックス状にロウ電極とカラム電極が設けられ、ロウ駆動回路とカラム駆動回路が設けられ、ＴＦＴインターフェイス信号をＭＬＡ駆動に適合した行及び／又は列駆動信号に変換するコントローラ回路、及びインターフェイス回路ブロックが設けられたＳＴＮ液晶表示モジュールであって、インターフェイス回路ブロックに電圧発生回路が備えられ、ＴＦＴインターフェイス信号がインターフェイス回路ブロックに入力され、コントローラ回路に対して、ＴＦＴインターフェイス信号とコントローラ回路の電源電圧がインターフェイス回路ブロックから出力される液晶表示モジュール、及び、ＭＬＡ駆動が行われるＳＴＮ液晶表示モジュール用のインターフェイス回路ブロックであって、ＴＦＴインターフェイス信号が入力され、コントローラ回路にＴＦＴインターフェイス信号を中継し、電圧発生回路を有するインターフェイス回路ブロックを提供する。
【００３１】
上記の液晶表示モジュールの構成によれば、コントローラ回路とは別にインターフェイス回路ブロックが設けられるため、設計仕様変更に伴う電源電圧変更や入力コネクタ等の部品変更に対し、インターフェイス回路ブロックのみを変更すればよく、短期間で的確に処理することができ、また基板金型を用いる場合には、変更部分は一部のみであり、低コストで金型を製造することができる。したがって、簡単な構成でＴＦＴ画像データ信号をそのまま用いて、ＳＴＮ液晶モジュールをＭＬＡ方式で駆動することができ、ＳＴＮ液晶表示のコントラストを向上させ応答速度を速めることができるとともに、設計変更等に容易に対処することができ生産性が向上する。
【００３２】
【発明の実施の形態】
好ましい実施の形態においては、ロウ駆動回路、カラム駆動回路、及びコントローラ回路にそれぞれの電源電圧がインターフェイス回路ブロックから出力される。
【００３３】
この構成によれば、ロウ駆動回路、カラム駆動回路およびコントローラ回路とは別に設けられたインターフェイス回路ブロックから電源電圧が供給されるため、設計変更に伴う電源電圧変更に応じてインターフェイス回路ブロックのみを変更することにより、効率よく容易に的確に設計変更に対処することができる。
【００３４】
さらに好ましい実施の形態においては、インターフェイス回路ブロックが基板に搭載され、液晶表示モジュールのほぼ側面に配置される。
【００３５】
この構成によれば、インターフェイス回路ブロックがそれ専用の基板上に搭載され、この基板がモジュール側面に配置されるため、コンパクトな構造で他の回路や部品との干渉を起こすことなく効率的なレイアウトが実現される。
【００３６】
【００３７】
また、本発明のインターフェイス回路ブロックの構成によれば、コントローラ回路とは別にインターフェイス回路ブロックが設けられ、ＴＦＴインターフェイス信号の中継部品変更や電源電圧変更に対しインターフェイス回路ブロックのみを変更することにより効率よく容易に的確に対処することができる。したがって、簡単な構成でＴＦＴ画像データ信号をそのまま用いて、ＳＴＮ液晶モジュールをＭＬＡ方式で駆動することができ、ＳＴＮ液晶表示のコントラストを向上させ応答速度を速めることができるとともに、設計変更等に容易に対処することができ生産性が向上する。
【００３８】
好ましい実施の形態においては、インターフェイス回路ブロックは、コントローラ回路を搭載する基板とは別の基板に搭載され、このインターフェイス回路ブロックを搭載した基板は、複数の分離可能な基板からなり、各基板にインターフェイス回路ブロックを構成する部品を搭載した。
【００３９】
この構成によれば、インターフェイス回路ブロックを構成する部品の一部に変更があった場合に、その部分の基板を変更することにより、容易に変更に対処することができる。
【００４０】
本発明の制御回路は、前述のＭＬＡ用のインターフェイス制御回路であり、好ましくは半導体技術により製造されたワンチップのモノリシックＩＣにより構成される。このＭＬＡインターフェイス制御回路は、ＴＦＴモジュール入力信号と等しいディジタルＲＧＢ信号を受取って、適当なデータ処理を施し、一旦制御回路内部のメモリに書込み、これを書込んだときとは別の順序で読み出して、所定の直交変換を行ってＭＬＡ駆動に適合したフォーマットに変換してそれぞれ、ロウドライバおよびカラムドライバへＭＬＡデータ出力として転送するための、チップ上にメモリを内蔵した高機能なデータ演算制御回路である（以下この演算制御回路をＭＬＡコントローラという）。
【００４１】
すなわち、ＭＬＡコントローラは、前述のＴＦＴの制御回路が信号演算処理なしの単純なデータの並べ変えのみの機能であるのに対し、複雑なデータの並べ変えを行う信号演算処理機能を有する。
【００４２】
このＭＬＡコントローラの機能および仕様は以下のとおりである。
【００４３】
入力４１ピン、出力４８ピン、電源電圧（＋３．３Ｖ，０Ｖ）、ＱＦＰのワンチップＩＣでメイン基板に表面実装される。消費電力は通常の表示状態（例えばＷｉｎｄｏｗｓ９５（登録商標）のエクスプローラの表示）で２５０〜５００ｍＷである。
【００４４】
入力信号の周波数は、ＴＦＴインターフェイスのディジタルＲＧＢ信号がそのまま入力され、１８ビット、４０ＭＨｚであり、出力信号は、３６ビット、２０ＭＨｚ（カラム駆動信号は２０ＭＨｚ、ロウ駆動信号は３７ＫＨｚ）となる。
【００４５】
したがって、駆動回路を搭載するロウ基板、バス基板へ各出力信号を供給するように両者の略中間位置に配置し、かつ良好な放熱およびＥＭＩ低減を達成するために、液晶パネル裏面側にシールド板を介して置いたメイン基板の片側に配置し、入力信号→ＭＬＡコントローラ→出力信号→２つのバス基板および１つのロウ基板、というように信号経路をそれぞれバスとして設け、かつ各信号経路を離して配置する。ロウ基板へのロウ駆動信号の信号経路とバス基板へのカラム駆動信号の信号経路は左右に振分けて設けることが望ましい。また、ＭＬＡコントローラへの入力信号のコネクタ位置は、２ｃｍ以内に設けることが望ましい。
【００４６】
ＭＬＡコントローラが搭載されるメイン基板は、６層のプリント配線板で、長辺が２３ｃｍ、短辺が４ｃｍ、配線は０．１２ｍｍ幅で、０．２５ｍｍ間隔（４本／ｃｍ）で、総ワイヤ数は５００〜６００本程度である。
【００４７】
このようなＭＬＡコントローラを備えたインターフェイスにおいては、前述のＴＦＴインターフェイスの場合と同様に、画素を構成する１ドットあたりの画像表示データが、例えば６ビットの複数の階調データとして構成される。
【００４８】
一例をあげれば、カラーＳＴＮのＭＬＡモジュールのインターフェイスにおいて、前述と同じＴＦＴモジュールで用いた例えば４１ピンの入力コネクタのうち、２３ピンをＴＦＴと同様の制御信号（必要信号のみ）および電源用として用い、残りの１８ピンを赤（Ｒ）、緑（Ｇ）、青（Ｂ）の３つの画像表示データとしてそれぞれ６ピンづつ用いている。
【００４９】
すなわち、前述のＴＦＴモジュールの場合と同様に、赤、緑、青の各色の画像信号は、１ドットについて各ピンが１ビットづつ計６ビットの階調データとして入力され、１８ピン（１８ビット）を用いて１ドットの画像表示データが構成される。
【００５０】
このように、ＭＬＡインターフェイスにおける画像入力データ信号は、基本的にＴＦＴインターフェイスの画像入力データ信号と同じであるため、ＭＬＡモジュールにおいては、従来から用いられていたＴＦＴモジュールの画像入力データ信号をそのまま用いてＳＴＮ液晶パネル上に画像表示することができる。
【００５１】
この場合、ＭＬＡコントローラに対する入力信号が、前述のＴＦＴモジュールの制御回路への入力信号と同じ１８ビット、４０ＭＨｚのとき、出力信号は、３６ビット、２０ＭＨｚに変調される。このようにＭＬＡコントローラの出力信号のビット数を増やし周波数を低下させることにより、内部配線等に対するノイズの低減や外部機器に対する電磁輻射妨害（ＥＭＩ）の軽減が図られる。
【００５２】
このＭＬＡモジュールに供給される電源電圧は、例えば、＋３．３Ｖのロジック電圧であり、液晶駆動電圧はインターフェイス基板上のＤＣ−ＤＣコンバータで発生され、その他必要な中間電圧はモジュール内部のメイン基板上の分割抵抗、平滑コンデンサおよびオペアンプからなる電源回路で発生され、各ドライバに供給される。
【００５３】
【実施例】
図１は、本発明の実施例に係るＭＬＡモジュールの組立て状態のパネル背面図である。また、図２、図３および図４は、それぞれこのモジュールに組込まれる基板の組立て前の部品構成図である。
【００５４】
このモジュール１は、矩形のフレーム２に組込まれたＳＴＮ液晶セルからなる液晶パネル３の背面側に、バス基板４と、ロウ基板６と、インターフェイス基板８と、メイン基板１１とを設けた構成である。バス基板４は、フレーム２の上下の横辺に沿って上側および下側にそれぞれ設けられる。これは、液晶パネル３を上下２分割して各々独立駆動するデュアルスキャン方式を用いるためである。
【００５５】
各バス基板４上にはＴＣＰからなる複数のカラムドライバ５およびコンデンサ（図示を省略する）が搭載される。図２に示すように、上側のバス基板４のほぼ中央部には、フレキシブルケーブルからなるＩ／Ｆコネクタ１５の端部が接続され、下側のバス基板４のほぼ中央部にはフレキシブルケーブルからなるＩ／Ｆコネクタ１４の端部が接続される。
【００５６】
このようにバス基板のほぼ中央部にＩ／Ｆコネクタを接続したことにより、バス基板上の配線抵抗やインピーダンスが小さくなり、信号波形の伝播歪や電源電圧の低下が防止され、また各ドライバに対する抵抗やインピダンスの差が小さくなるため、均一で安定した駆動制御が図られ信頼性が向上する。
【００５７】
ロウ基板６はフレーム２の一方の縦辺に沿って設けられ、ＴＣＰからなる複数のロウドライバ７およびコンデンサ（図示を省略する）が搭載される。図２に示すように、このロウ基板６の下端部よりの位置にはフレキシブルケーブルからなるＩ／Ｆコネクタ１８の端部が接続される。このようにロウ基板６の下端部にＩ／Ｆコネクタ１８を接続することにより、フレキシブルケーブルの長さが短くなり、抵抗が小さくなって信号波形の伝播歪や電源電圧の低下が防止される。
【００５８】
これらのバス基板４およびロウ基板６は、ＴＣＰのフレキシブルテープをフレームの内側に折返すことにより、矩形の形状を有する液晶パネル３の背面の各辺の縁部に配置される。このＴＣＰと液晶パネル３の配線パターンとの接続は異方性導電膜を介して行われる。またＴＣＰと各ロウ基板およびバス基板との配線接続は半田付けにより行われる。
【００５９】
インターフェイス基板８は、ロウ基板６の外側に縦方向に設けられる。このインターフェイス基板８上には、入力コネクタ９および電源回路を構成するＤＣ−ＤＣコンバータ１０が搭載され、また図３に示すように、フレキシブルケーブルからなるＩ／Ｆコネクタ１６、１７のそれぞれの端部が接続される。
【００６０】
本発明は、このインターフェイス基板８の構成配置を特徴とするものであり、これについてはさらに後述する。
【００６１】
下側のバス基板４に隣接して液晶パネル３の背面にメイン基板１１が配設される。このメイン基板１１上には、３線接続の表示画面輝度調整ボリューム用コネクタ１２およびＭＬＡコントローラ１３が搭載され、また図４に示すように、前述の各バス基板４、５、ロウ基板６およびインターフェイス基板８に接続されたフレキシブルケーブルからなるＩ／Ｆコネクタ１４〜１８の端部を受けるコネクタ受け部１４ａ、１５ａ、１６ａ、１７ａ、１８ａが設けられる。１１ａは、下側バス基板４のＩ／Ｆコネクタ１４のフレキシブルケーブルを通すための切欠きである。
【００６２】
図５は、上記実施例に係るモジュールの分解斜視図である。液晶パネル３の背面に導光板１９が装着され、その裏面にシールド板２０を介して裏カバー２１が装着される。この裏カバー２１とフレーム２間に、メイン基板等各基板が接続された液晶パネル３や導光板１９およびシールド板２０を挟んでネジ止めにより一体となってモジュール化される。
【００６３】
図６は、上記モジュール１の断面図である。外枠を構成する本体ケース２５内に液晶パネル３が装着され、その背面に導光板１９が設けられる。この導光板１９は、断面がくさび形であって、前面側がパネル面と平行であり、後面側が下方（図では左側）に向けて肉厚が薄くなるように傾斜している。
【００６４】
このくさび形導光板１９の肉厚側の上側エッジ部（図では右側）に光源となる冷陰極蛍光管２６が設けられる。この導光板１９の背面にはシールド板２０が装着されその背面の上下縁部に沿って前述のカラムドライバ５を搭載したバス基板４が装着される。各カラムドライバ５は、ＴＣＰのフレキシブルベースを介して、液晶パネル３の各画素の電極に接続される。
【００６５】
メイン基板１１は、導光板１９の下側のバス基板４に沿って、導光板１９の肉厚の薄い部分の背面に装着される。このように、くさび形導光板１９の薄い部分にメイン基板１１を装着することにより、導光板背面のスペースを有効に利用してモジュールの厚さを増加させることなく、メイン基板１１をコンパクトにモジュール内に装着できる。
【００６６】
上記構成のＭＬＡモジュールにおいて、ＴＦＴモジュールへの画像表示入力信号と同じディジタルＲＧＢ信号が、インターフェイス基板８の入力コネクタ９（図１）から入力され、Ｉ／Ｆコネクタ１７を介してメイン基板１１に送られ、ＭＬＡコントローラ１３に入力される。このＭＬＡコントローラは、入力されたディジタルＲＧＢの画像表示データに対し、適当なデータ処理を施こし、一旦制御回路内部のメモリに書込み、これを書込んだときとは別の順序で読み出して、所定の直交変換を行ってＭＬＡ駆動に適合したフォーマットに変換する。このように高機能な演算処理が施されたＭＬＡコントローラ１３からの出力は、このＭＬＡコントローラに対する入力信号が、例えば１８ビット、４０ＭＨｚのとき、出力信号は、３６ビット、２０ＭＨｚに変調される。このようにＭＬＡコントローラの出力信号のビット数を増やし周波数を低下させることにより、内部配線等に対するノイズの低減や外部機器に対する電磁輻射妨害（ＥＭＩ）の軽減が図られる。
【００６７】
このようなＭＬＡコントローラ１３からのデータ出力は、Ｉ／Ｆコネクタ１４、１５を介して、それぞれ下側および上側のバス基板４のカラムドライバ５に送られ、またＩ／Ｆコネクタ１６を介してロウ基板６のロウドライバ７に送られる。これにより、画像表示データにしたがって選択されたカラムドライバおよびロウドライバが駆動され、表示すべき画素のドット位置のＳＴＮ液晶に電圧が印加される。
【００６８】
また、このＭＬＡモジュールに供給される電源電圧は、例えば、＋３．３Ｖのロジック電圧であり、液晶駆動電圧はインターフェイス基板８上のＤＣ−ＤＣコンバータ１０で発生され、その他必要な中間電圧はモジュール内部メイン基板上の分割抵抗、平滑コンデンサおよびオペアンプからなる電源回路（図示しない）で発生され、Ｉ／Ｆコネクタ１４，１５，１８を介してバス基板４およびロウ基板６の各ドライバ５、７に供給される。
【００６９】
図７は、上記ＭＬＡモジュールに組込まれたインターフェイス基板８の分解詳細図である。このインターフェイス基板８は、電源電圧発生回路（図示しない）を搭載した第１基板８ａと、本体側からの信号中継回路を構成する入力コネクタ９を搭載した第２基板８ｂの２枚の基板８ａ，８ｂにより構成される。第１基板８ａには、図示しないが基板上ほぼ全体に実装されたトランス、トランジスタ、ＩＣ、抵抗およびコンデンサ等からなるＤＣ−ＤＣコンバータ（図３では模式的に参照番号１０で示している）が搭載される。このＤＣ−ＤＣコンバータは、本体側から入力された３．３Ｖの電源電圧をモジュール駆動に必要な電源電圧（例えば±３０Ｖ）に変圧し、この電源電圧をＩ／Ｆコネクタ１６を介してメイン基板１１に供給する。このＩ／Ｆコネクタ１６は、フレキシブルフラットケーブルからなり、一端が第１基板８ａに半田付けされ、他端にコネクタ端子部１６ｂが形成され、このコネクタ端子部１６ｂがメイン基板１１に設けたコネクタ受け部１６ａ（図４）に挿入されクランプされることにより両基板間の電源配線パターン同士が導通して電源電圧が第１基板８ａからメイン基板１１に供給される。
【００７０】
第２基板８ｂは、その上下両端部に設けたビス孔５３を、第１基板８ａに設けたビス孔５４に整合させて、図示しないビスにより第１基板８ａ上に固定される。このとき、両基板間のビスに樹脂製のカラーを介装してこのカラーの高さにより第１基板８ａと第２基板８ｂ間の間隔を調整することができる。このような間隔調整により、モジュールの厚さ方向に対する入力コネクタ９の高さ位置を調整することができ、形状や仕様の異なる入力コネクタ９の部品高さに応じて、最適な厚さ方向の高さ位置に固定することができる。この入力コネクタ９を介して、本体側から前述のＴＦＴディジタルＲＧＢ信号および３．３Ｖのロジック電圧が入力される。
【００７１】
このＲＧＢ信号は、Ｉ／Ｆコネクタ１７を介してメイン基板１１に送られる。このＩ／Ｆコネクタ１７は、前述のＩ／Ｆコネクタ１６と同様に、フレキシブルフラットケーブルからなり、一端が第２基板８ｂに半田付けされ、他端にコネクタ端子部１７ｂが形成され、このコネクタ端子部１７ｂがメイン基板１１に設けたコネクタ受け部１７ａ（図４）に挿入されクランプされることにより両基板間の信号配線パターン同士が導通してＲＧＢ信号が第２基板８ｂ上の入力コネクタ９からメイン基板１１に送られる。
【００７２】
一方、３．３Ｖの電源電圧は、フラットケーブル５１を介して第１基板８ａのＤＣ−ＤＣコンバータに入力される。このフラットケーブル５１は、３線のフレキシブルケーブルであり、一端が第２基板８ｂに半田付けされ、第２基板８ｂを第１基板８ａ上に搭載後、中央部を折返して、その他端部が第１基板８ａ側に設けた端子５２に半田付けされる。これにより、入力コネクタ９に入力された電源電圧は、第２基板８ｂから第１基板８ａのＤＣ−ＤＣコンバータに入力され、ここで変圧されて、前述のように、Ｉ／Ｆコネクタ１６を介してメイン基板１１に送られる。
【００７３】
このような、２枚基板構成のインターフェイス基板８は、ＭＬＡコントローラ１３を搭載したメイン基板１１やパネル上下のバス基板４およびパネル側面のロウ基板６と分離して配置されたインターフェイス回路ブロックを構成する。このインターフェイス基板８は、前述の図１に示したように、液晶パネル３の一方の縦辺に沿って、ロウ基板６の外側に配設され、具体的な寸法を例示すれば、幅が０．５〜１．５ｃｍ、長さが１０〜２０ｃｍ、厚さが０．５〜１．０ｃｍの回路ブロックである。
【００７４】
このように、モジュールへの中継回路を構成するインターフェイス基板を縦長形状に形成し、これを他の基板から分離して、パネル側面に設けることにより、モジュールの厚さを増加させることなく、また他の基板や部品等の制約を受けることなく、コンパクトな形状のレイアウトが実現可能になる。また、設計変更等により入力コネクタその他の中継部品の形状や配置が変った場合に、他の基板はそのまま変更せず、インターフェイス基板のみを変更することにより、設計変更に対処することができる。また、入力コネクタ等の他部品に比べ仕様変更の可能性の高い部品を別基板上に搭載しておくことにより、部品の仕様変更や形状あるいは配置変更に対しさらに的確に効率よく対処することができる。
【００７５】
【発明の効果】
以上説明したように、本発明においては、コントローラ回路とは別にインターフェイス回路ブロックが設けられるため、設計仕様変更に伴う電源電圧変更や入力コネクタ等の部品変更に対し、インターフェイス回路ブロックのみを変更すればよく、短期間で的確に処理することができ、また基板金型を用いる場合には、変更部分は一部のみであり、低コストで金型を製造することができる。したがって、簡単な構成でＴＦＴ画像データ信号をそのまま用いて、ＳＴＮ液晶モジュールをＭＬＡ方式で駆動することができ、ＳＴＮ液晶表示のコントラストを向上させ応答速度を速めることができるとともに、設計変更等に対し短期間で容易に対処することができ生産性が向上する。
【図面の簡単な説明】
【図１】本発明実施例のＭＬＡモジュールの組立て状態のパネル背面図。
【図２】図１のモジュールのバス基板およびロウ基板の平面図。
【図３】図１のモジュールのインターフェイス基板の平面図。
【図４】図１のモジュールのメイン基板の平面図。
【図５】図１のモジュールの分解斜視図。
【図６】図１のモジュールの断面図。
【図７】本発明実施例のインターフェイス基板の分解構成図。
【図８】従来のＳＴＮモジュールの構成説明図。
【図９】従来のＴＦＴモジュールの構成説明図。
【図１０】従来の回路構成（分図（ａ）はＭＬＡコントローラを用いる例、分図（ｂ）はＭＬＡコントローラ内蔵のＶＧＡコントローラを用いる例）を示すブロック図。
【符号の説明】
１：ＭＬＡモジュール、２：フレーム、３：液晶パネル、４：バス基板、
５：カラムドライバ、６：ロウ基板、７：ロウドライバ、
８：インターフェイス基板、９：入力コネクタ、
１０：ＤＣ−ＤＣコンバータ、１１：メイン基板、
１２：輝度調整ボリュウム用コネクタ、１３：ＭＬＡコントローラ、
１４，１５，１６，１７，１８：Ｉ／Ｆコネクタ、１９：導光板、
２０：シールド板、２１：裏カバー。
【図１】
0003618184.tif 000002
【図２】
0003618184.tif 000003
【図３】
0003618184.tif 000004
【図４】
0003618184.tif 000005
【図５】
0003618184.tif 000006
【図６】
0003618184.tif 000007
【図７】
0003618184.tif 000008
【図８】
0003618184.tif 000009
【図９】
0003618184.tif 000010
【図１０】
0003618184.tif 000011